(57)【要約】【課題】簡単に取り付けることができ、全体の形状、構造をシンプルかつ頑丈にした屋根上物品取付具を提供する。【解決手段】屋根上物品取付具１は、２個一対の挟持具１０、１０を用いて、屋根上に突出したボルト体Ｂを挟持して固定される構造とし、挟持具１０のそれぞれは、ボルト体Ｂの軸部Ｂ１を挟持する、凹部内面に凹凸部１３ａが形成された凹溝部１３と、該凹溝部１３の両側端より側方に延びボルト挿通孔１４ｂ、１４ｂを有した板片によりなる、凹溝部１３、１３同士によるボルト体Ｂの挟持を保持する固定部１４とを備え、挟持具１０、１０のすくなくとも一方は、屋根上に当接する支持脚部１６をさらに備えている。【選択図】図１
2014190025.tif 000002
【特許請求の範囲】
【請求項１】
２個一対の挟持具を用いて、屋根上に突出したボルト体を挟持して固定される構造とした屋根上物品取付具であって、
前記挟持具のそれぞれは、前記ボルト体の軸部を挟持する、凹部内面に凹凸部が形成された凹溝部と、該凹溝部の両側端より側方に延びボルト挿通孔を有した板片によりなる、前記凹溝部同士による前記ボルト体の挟持を保持する固定部とを備え、前記挟持具のすくなくとも一方は、屋根上に当接する支持脚部をさらに備えたことを特徴とする屋根上物品取付具。
【請求項２】
請求項１において、
前記一対の挟持具は同一形状とされることを特徴とする屋根上物品取付具。
【請求項３】
請求項１または２において、
前記凹溝部の内面同士を突き合わせて形成される開口が、突き合わせ方向の径を短径とした略楕円形状であることを特徴とする屋根上物品取付具。
【発明の詳細な説明】
【技術分野】
【０００１】
本発明は、屋根上に突出したボルト体に挟持して固定される構成とした屋根上物品取付具に関する。
【背景技術】
【０００２】
一般に、折板屋根（角波形屋根）、丸波形屋根等の波形屋根の上面に、たとえばテレビアンテナや空調機器、太陽電池パネル、遮熱シート等の各種機器・部材類（屋根上物品）を配設することが実施されており、従来には、各種機器・部材類を屋根上に取り付けるための種々の屋根上物品取付具が提案されている（たとえば、特許文献１、２参照）。
【０００３】
特許文献１、２に記載された屋根は、山部と谷部とが交互に連続してなる波形屋根における山部の頂部で、隣接する屋根材同士を重ねてなる重合部をボルト体とナットの螺着によって連結、固定する重ね式連結構造となっている。そして、その波形屋根に取り付けられる屋根上物品取付具は、屋根材の重合部を波形屋根の下方より貫通して屋根上に突出した、屋根材連結のためのボルト体の軸部を、先端が相対向する挟着片で挟み込むことで設置できるようになっている。
【０００４】
具体的には、これらの屋根上物品取付具は、略門形に形成され、その両脚片を横方向に貫通する緊締用ボルトおよび緊締用ナットで両脚片を緊締して、両脚片のそれぞれの下端から対向するように延びた両挟着片がボルト体を挟着する構造となっている。挟着片の先端がボルト体のネジ溝に食い込んだ状態で係止、固定されるので、屋根上物品取付具は容易に外れることなく屋根上にしっかりと固定される。
【先行技術文献】
【特許文献】
【０００５】
【特許文献１】特開２０１２−４６９４１号公報
【特許文献２】特開２０１２−４６９４２号公報
【発明の概要】
【発明が解決しようとする課題】
【０００６】
しかしながら、特許文献１の屋根上物品取付具は１部材よりなる略門形の挟着具よりなるため、手作業による緊締作業には力を要し、そのため取付作業を迅速に行うことはできない。
【０００７】
また、特許文献２の屋根上物品取付具は、一対の挟着具よりなるため、緊締作業には比較的楽に行える構成であるが、全体の形状、構造が複雑であり、製造コストがかかるおそれがある。
【０００８】
本発明は、このような事情を考慮して提案されたもので、その目的は、簡単かつ強固に取り付けることができ、かつ製造コストを低減できる屋根上物品取付具を提供することにある。また、様々な径のボルト体に対して挟着できるようにすることも本発明の目的とする。
【課題を解決するための手段】
【０００９】
上記目的を達成するために、請求項１に記載の屋根上物品取付具は、２個一対の挟持具を用いて、屋根上に突出したボルト体を挟持して固定される構造とした屋根上物品取付具であって、挟持具のそれぞれは、ボルト体の軸部を挟持する、凹部内面に凹凸部が形成された凹溝部と、該凹溝部の両側端より側方に延びボルト挿通孔を有した板片によりなる、凹溝部同士によるボルト体の挟持を保持する固定部とを備え、挟持具のすくなくとも一方は、屋根上に当接する支持脚部をさらに備えたことを特徴とする。
【００１０】
請求項２に記載の屋根上物品取付具は、一対の挟持具は同一形状とされることを特徴とする。
【００１１】
請求項３に記載の屋根上物品取付具は、凹溝部の内面同士を突き合わせて形成される開口が、突き合わせ方向の径を短径とした略楕円形状であることを特徴とする。
【発明の効果】
【００１２】
請求項１に記載の屋根上物品取付具によれば、上述の構成となっているため、全体の形状、構造をシンプルかつ頑丈にでき、屋根上に強固に取り付けることができる。形状、構造がシンプルであるため、製造コストを低減できる。また、屋根上物品取付具を屋根に取り付けるために力を要する緊締作業の必要がなく、簡単に楽に取り付けができ、屋根上での取付操作を効率よく行うことができる。
【００１３】
また、凹凸部が形成された両凹溝部でボルト体を挟持する構成であるため、ずれや外れが発生しにくく、屋根上物品取付具を安定的に設置できる。さらに、凹凸部をボルト体の軸部に接触させて摩擦力でしっかりと固定できる構成であるため、軸部が錆びて螺合ができないボルト体に対しても取り付けることができる。また、挟持具の少なくとも一方が支持脚部を有しているため、その支持脚部とボルト体とで、屋根にさらにしっかりと固定することができる。
【００１４】
請求項２に記載の屋根上物品取付具によれば、一対の挟持具は同一形状であるため、構成部品の種類を少なくすることができ、部品管理も簡易にできる。
【００１５】
請求項３に記載の屋根上物品取付具によれば、凹溝部の内面同士を突き合わせて形成される開口が、突き合わせ方向の径を短径とした略楕円形状であるので、種々の径のボルト体に挟持具を固定することができる。
【図面の簡単な説明】
【００１６】
【図１】本発明の一実施形態に係る屋根上物品取付具を構成する挟持具の説明図であり、（ａ）は一方の挟持具の正面図、（ｂ）は他方の挟持具の正面図、（ｃ）は（ａ）に示した挟持具の右側面図、（ｄ）は（ａ）に示した挟持具の底面図である。
【図２】（ａ）は凹溝部同士の突合せ状態を示した拡大部分平面図、（ｂ）は径大なボルト体を挟着した状態の拡大部分平面図である。
【図３】屋根上物品取付具の屋根への取付手順を示す部分縦断面図である。
【図４】（ａ）屋根上物品取付具の屋根への取付状態を示す部分縦断面図、（ｂ）は同要部横断面図である。
【図５】屋根上物品取付具の屋根への取付状態を示す正面図である。
【図６】屋根上物品取付具の取り付け対象である屋根（波形屋根）の部分斜視図である。
【発明を実施するための形態】
【００１７】
以下に、本発明の実施の形態について、添付図面を参照しながら説明する。
【００１８】
本屋根上物品取付具１が取り付けられる屋根としては、図６に示した折板屋根Ｙ（角波形屋根）や丸波形屋根などの波形屋根が挙げられる。また、屋根の素材としては、金属や合成樹脂、セメント系等のものが適用できる。なお、屋根上物品取付具１の取付対象は波形屋根に限定されず、平板屋根であってもよい。
【００１９】
図例として示した折板屋根Ｙは、山部Ｙ１と谷部Ｙ２とが交互に連続する屋根であって、複数の折板屋根材を側端縁の山部Ｙ１の頂部Ｙ１ａで重合し、その重合部でボルト体ＢとナットＣ１の螺着によって連結した重ね式連結構造となっている。
【００２０】
このナットＣ１は、図例においては、その下方の山状の座金Ｃ２とともに座金部Ｃを構成している。座金Ｃ２は、ボルト孔からの水の浸入を防止するための防水パッキンＣ３を覆っている。なお、座金部Ｃは、図例のような座金Ｃ２を含まず螺着用のナットＣ１のみで構成してもよい。
【００２１】
また、折板屋根Ｙの裏側には、図３および図４に示すように、折板屋根Ｙと略同形状をなす、ボルト止めのための支持金具Ｙ３が取り付けられている。折板屋根Ｙはこの支持金具Ｙ３に支持される。なお、屋根上物品取付具１を取り付けるためのボルト体Ｂの取付位置は、隣接する折板屋根材の重合部に限らず、他の頂部Ｙ１ａに支持金具Ｙ３を用いてボルト体Ｂを取り付けてもよい。
【００２２】
この屋根上物品取付具１は、図１（ａ）（ｂ）に示すように、同一形状の２個一対の挟持具１０、１０を組み合わせ、それらを２組のボルト２１（図例では根角ボルト）、ナット２２で連結できるようにして構成されている。
【００２３】
両挟持具１０、１０は、同一形状であり、一方の挟持具１０の正面形状が他方の挟持具１０の背面形状と同一である（図１（ａ）（ｂ）参照）。
【００２４】
挟持具１０は、屋根上に設置したときに頂部Ｙ１ａの上面とほぼ平行となる台座部１１と、台座部１１の一方の端部より垂下した垂下片１２と、台座部１１の他方の端部より下方に垂下片から遠ざかるように下方に延び、屋根面に当接する足部１６ｂを有した支持脚部１６とを備えている。
【００２５】
垂下片１２は、中央の凹溝部１３と、その両側端より側方に延びた板状の一対の翼片１４ａ、１４ａよりなる固定部１４と、凹溝部１３および固定部１４と台座部１１とを連結した連結部１５とより構成されている。
【００２６】
凹溝部１３は、両挟持具１０、１０の凹溝部１３、１３同士を突き合わせた場合に筒状体が形成され、その横断面が略楕円となるように、溝幅にくらべて浅底の湾曲凹溝状に形成されている（図１（ｃ）および図２（ａ）参照）。
【００２７】
この凹溝部１３の凹部内面には、凹溝部１３ほぼ全長にわたりねじ溝よりなる凹凸部１３ａが形成されている。凹凸部１３ａとしてはねじ溝に限らず、種々のものが適用でき、複数の略平行な細溝や同様の突条でもよく、梨地状の凹部、凸部などでもよい。凹溝部１３、１３間にはボルト体Ｂが挟持されるので、細溝や突条はボルト体Ｂのねじ山に沿って横方向に形成するほうが望ましい。
【００２８】
一組の挟持具１０、１０の凹溝部１３、１３によりボルト体Ｂの軸部Ｂ１を挟持することができ、溝幅寸法を溝底間の長さよりやや大きくしたことにより、図２（ｂ）のような径大なボルト体Ｂも挟持することができる。
【００２９】
また、凹凸部１３ａが形成された両凹溝部１３、１３でボルト体Ｂを挟持する構成であるため、ずれや外れが発生しにくく、屋根上物品取付具１を安定的に屋根上に設置することができる。さらに、凹凸部１３ａをボルト体Ｂの軸部Ｂ１に接触させて摩擦力でしっかりと固定できる構成であるため、軸部Ｂ１が錆びて螺合ができないボルト体Ｂに対しても取り付けることができる。
【００３０】
固定部１４の翼片１４ａ、１４ａには角孔に形成されたボルト挿通孔が開設されており、図２（ａ）、（ｂ）および図４（ａ）（ｂ）に示すように、ボルト体Ｂの軸部Ｂ１を挟んだ状態にして、２組のボルト２１、２１、ナット２２、２２を螺合することで、挟持状態を固定保持することができる。
【００３１】
また、連結部１５は、図１（ｂ）に示すように、中央に矩形の窓開口１５ａがあり、ボルト体Ｂの軸部Ｂ１の先端がその窓開口１５ａから覗くように配される。この窓開口１５ａは、頭部を上部に配したボルト２１を挟持することも考慮して、その頭部を収容できる程度の寸法、形状とすることが望ましい。なお、連結部１５は設けなくてもよく、台座部１１の端部より直接、凹溝部１３が垂下した構成としてもよい。その場合には、ボルト２１の軸部の先端は凹溝部１３、１３同士によって隠される。
【００３２】
また、垂下片１２の下端は、支持脚部１６の足部１６ｂよりも高い位置に配置されており、図４（ａ）に示すように、挟持具１０、１０を屋根上に設置した際には、座金部Ｃとの接触が回避できるようになっている。
【００３３】
台座部１１は、図１（ａ）（ｂ）に示すように、上面が平坦であり、図４（ａ）に示すように、一組の挟持具１０、１０を連結することにより、面積の広い連結台座を形成することができる。この連結台座の上には、テレビアンテナや空調機器、太陽電池パネル、遮熱シート等の各種機器・部材類（屋根上物品）を配設することができる。
【００３４】
支持脚部１６は、幅方向の中央に縦に走る補強用のリブ１６ａを有した板片よりなり、その下端部には折曲してなる足部１６ｂを有している。また、支持脚部１６の高さ方向の中央部の側端には、ボルト２１、ナット２２の螺合作業をしやすくするための湾曲状の切欠き凹所１６ｃ、１６ｃが形成されている。
【００３５】
この支持脚部１６は、他方の挟持具１０の支持脚部１６とともに作用して、屋根上物品取付具１を屋根面に安定的に設置させることができ、さらに支持脚部１６、１６間の中央にはボルト体Ｂの軸部Ｂ１に固定された一対の凹溝部１３、１３が配されているので、３点でしっかりと屋根上物品取付具１を固定保持することができる。また、一対の支持脚部１６、１６は末広がり状に屋根上に載置されるので、さらに設置状態は安定する。
【００３６】
なお、支持脚部１６を一方の挟持具１０のみに設けたものとしてもよく、他方の挟持具１０は、凹溝部１３と固定部１４とより構成されたものとしてもよい。その場合でも、１つの支持脚部１６と、ボルト体Ｂを挟持した一対の凹溝部１３、１３との２点支持により、屋根上物品取付具１を屋根上に安定的に設置させることができる。
【００３７】
このような一対の挟持具１０、１０は、たとえば図３、図４（ａ）に示すように、折板屋根Ｙの頂部Ｙ１ａから上方に突出したボルト体Ｂの両側より頂部Ｙ１ａの形成方向に沿ってボルト体Ｂに近づけていき（図３参照）、ボルト体Ｂの軸部Ｂ１を挟持してから、重合したボルト挿通孔１４ｂにボルト２１を挿通させてナット２２で固定すればよい（図４（ａ）参照）。
【００３８】
このように、この屋根上物品取付具１は上述した構成となっているため、ボルト体Ｂに簡単に取り付けることができ、２片を締め付け近づかせるるような力を要する緊締作業を必要とせず、楽に設置することができる。
【００３９】
また、本実施形態の挟持具１０は、板片を折曲形成した簡易な構成であるため、形状、構造をシンプルかつ頑丈にでき、屋根上に強固に取り付けることができる。形状、構造がシンプルであるため、製造コストを低減できる。
【００４０】
一対の挟持具１０、１０は同一形状であるため、屋根上物品取付具１を構成する部品種類を少なくすることができ、部品管理も簡易にできる。さらに、挟持具１０、１０をボルト体に組み付けたときには、左右両端に支持脚部１６、１６が配せられるので安定感がある。また、左右対称に屋根上に設置されるので美観にもすぐれている。
【００４１】
このような屋根上物品取付具１は、たとえば図５に示すように、頂部Ｙ１ａの形成方向に沿って並べて設置してもよく、長尺状のたとえば遮熱シートを配設するためのフレームなどの取り付けにも適している。
【符号の説明】
【００４２】
１          屋根上物品取付具
１０        挟持具
１３        凹溝部
１３ａ      凹凸部
１４        固定部
１４ｂ      ボルト挿通孔
１６        支持脚部
１６ｂ      足部
２１        ボルト
２２        ナット
Ｙ          折板屋根
Ｙ１        山部
Ｙ１ａ      頂部
Ｙ２        谷部
Ｂ          ボルト体
Ｂ１        軸部
Ｃ１        ナット
【図１】
2014190025.tif 000003
【図２】
2014190025.tif 000004
【図３】
2014190025.tif 000005
【図４】
2014190025.tif 000006
【図５】
2014190025.tif 000007
【図６】
2014190025.tif 000008
【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
２個一対の挟持具を用いて、屋根上に突出したボルト体を挟持して固定される構造とした屋根上物品取付具であって、
前記挟持具のそれぞれは、台座部と、該台座部の一方の端部より垂下した垂下片と、他方の端部より下方に垂下片から遠ざかるように下方に延び、屋根面に当接する足部を有した支持脚部とを備えており、
前記垂下片は、前記ボルト体の軸部を挟持する、凹部内面に凹凸部が形成された凹溝部と、該凹溝部の両側端より側方に延びボルト挿通孔を有した板片によりなる、前記凹溝部同士による前記ボルト体の挟持をボルト、ナットの螺着により保持する固定部とを備えており、
前記支持脚部の中央部の側端には、前記ボルト、ナットの螺合作業をしやすくするための切り欠き凹所が形成されていることを特徴とする屋根上物品取付具。
【請求項２】
請求項１において、
前記一対の挟持具は同一形状とされることを特徴とする屋根上物品取付具。
【請求項３】
請求項１または２において、
前記凹溝部の内面同士を突き合わせて形成される開口が、突き合わせ方向の径を短径とした略楕円形状であることを特徴とする屋根上物品取付具。
【手続補正２】
【補正対象書類名】明細書
【補正対象項目名】０００９
【補正方法】変更
【補正の内容】
【０００９】
上記目的を達成するために、請求項１に記載の屋根上物品取付具は、２個一対の挟持具を用いて、屋根上に突出したボルト体を挟持して固定される構造とした屋根上物品取付具であって、挟持具のそれぞれは、台座部と、該台座部の一方の端部より垂下した垂下片と、他方の端部より下方に垂下片から遠ざかるように下方に延び、屋根面に当接する足部を有した支持脚部とを備えており、垂下片は、ボルト体の軸部を挟持する、凹部内面に凹凸部が形成された凹溝部と、該凹溝部の両側端より側方に延びボルト挿通孔を有した板片によりなる、前記凹溝部同士による前記ボルト体の挟持をボルト、ナットの螺着により保持する固定部とを備えており、支持脚部の中央部の側端には、ボルト、ナットの螺合作業をしやすくするための切り欠き凹所が形成されていることを特徴とする。
【手続補正３】
【補正対象書類名】明細書
【補正対象項目名】００２０
【補正方法】変更
【補正の内容】
【００２０】
このナットＣ１は、図例においては、その下方の山状の座金Ｃ２とともに座金部Ｃを構成している。座金Ｃ２は、ボルト孔からの水の浸入を防止するための防水パッキン（不図示）を覆っている。なお、座金部Ｃは、図例のような座金Ｃ２を含まず螺着用のナットＣ１のみで構成してもよい。
【手続補正４】
【補正対象書類名】明細書
【補正対象項目名】００４２
【補正方法】変更
【補正の内容】
【００４２】
１          屋根上物品取付具
１０        挟持具
１１        台座部
１２        垂下片
１３        凹溝部
１３ａ      凹凸部
１４        固定部
１４ｂ      ボルト挿通孔
１６        支持脚部
１６ｂ      足部
２１        ボルト
２２        ナット
Ｙ          折板屋根
Ｙ１        山部
Ｙ１ａ      頂部
Ｙ２        谷部
Ｂ          ボルト体
Ｂ１        軸部
Ｃ１        ナット